(57)【要約】      （修正有）【課題】扉をスライド移動させる際にその延出縁部の内面が前記レールベースの化粧面に擦れて化粧面の塗装が剥がれて擦り傷が残るという課題を、構造の複雑化や部品点数の増加を招くことなしに解消する。【解決手段】上、下に配設されたレール３に戸車４９を有した扉４をスライド移動可能に支持させてなり、前記レールの少なくとも一方を、扉正面側から視認可能な竪壁３７に化粧面３７１を形成してなるレールベース３１と、このレールベースに設けられ前記扉の戸車を転接支持するレール本体３２とを備えたものにするとともに、前記扉を、前記レールベースの化粧面の一部を隠すように延出する延出縁部４７を備えたものにしてなる扉装置であって、前記レール本体に、前記レールベースの化粧面と前記扉の延出縁部との間に介挿され前記化粧面よりも擦り傷による影響を受けにくい保護片３２３を一体的に設ける。【選択図】図７
2010275805.tif 000002
【特許請求の範囲】
【請求項１】
上、下に配設されたレールに戸車を有した扉をスライド移動可能に支持させてなり、前記レールの少なくとも一方を、扉正面側から視認可能な竪壁に化粧面を形成してなるレールベースと、このレールベースに設けられ前記扉の戸車を転接支持するレール本体とを備えたものにするとともに、前記扉を、前記レールベースの化粧面の一部を隠すように延出する延出縁部を備えたものにしてなる扉装置であって、前記レール本体に、前記レールベースの化粧面と前記扉の延出縁部との間に介挿され前記化粧面よりも擦り傷による影響を受けにくい保護片を一体的に設けたことを特徴とする扉装置。
【請求項２】
前記レールベースが、前記化粧面を形成するための塗装膜を有したカラー鋼板製のものである請求項１記載の扉装置。
【請求項３】
前記保護片が、前記延出縁部に対向する外面にヘアライン模様を有したものである請求項１又は２記載の扉装置。
【請求項４】
前記レール本体が、前記保護片を含めステンレス鋼板を曲げ加工して作られた一体品である請求項１、２又は３記載の扉装置。
【請求項５】
前記レール本体が、前記保護片を含めアルミニューム合金を押し出し成形して作られた一体品である請求項１、２又は３記載の扉装置。
【請求項６】
前記上のレールが天井に、前記下のレールが床にそれぞれ取り付けられたものである請求項１、２、３、４又は５記載の扉装置。
【請求項７】
前記下のレールのレール本体に、前記保護片を設けている請求項１、２、３、４、５又は６記載の扉装置。
【請求項８】
前記扉の下縁に前記延出縁部を有しており、前記延出縁部は、該扉に設けた底目地カバーの下端部を含んでいる請求項７記載の扉装置。
【請求項９】
前記延出縁部が、遮音用の微小クリアランスを介して前記レールの一部を覆い隠すものである請求項１、２、３、４、５、６、７又は８記載の扉装置。
【発明の詳細な説明】
【技術分野】
【０００１】
本発明は、いわゆる壁面パネル等として好適に使用されるスライド式の扉を有した扉装置に関する。
【背景技術】
【０００２】
従来、この種の扉装置として、上、下に配設されたレールに戸車を有した扉をスライド移動可能に支持させてなるものが知られている（例えば、特許文献１を参照）。このような扉装置として、前記レールを、床や天井などに取り付けられるレールベースと、このレールベースに設けられ前記扉の戸車を転接支持するレール本体とを備えたものが種々開発されているが、少なくとも扉正面側からの見栄えを良好なものにすることが要求される装置においては、前記レールベースの竪壁に化粧面が形成されていることも少なくない。
【０００３】
また、このような扉装置において、閉止状態における遮音性能を高めたり、外観を良好なものにすることなどが要求される場合、前記扉に前記レールベースの化粧面の一部を隠すように延出する延出縁部が設けられることがある。
【０００４】
ところが、このような構成のものにおいて、高い密閉性能を追及するには、前記レールベースの化粧面と前記扉の延出縁部の内面とのクリアランスを極力小さなものにしなければならない。そのため、かかる仕様のものでは、扉をスライド移動させる際にその延出縁部の内面が前記レールベースの化粧面に擦れることがあり、化粧面の塗装が剥がれて擦り傷が残るという不具合を招き易い。かかる擦り傷は扉を開いた際に扉正面側から視認可能となり、製品としての価値を著しく減殺する虞がある。このような傷が納品検査の際に発見された場合には、納品前の修理を余儀なくされることも考えられる。そのため、何らかの対策が望まれている。
【０００５】
このような不具合に対しては、前記扉の延出縁部の内面全体を軟質材料で構成するなどの対応策も考えられなくはないが、扉の延出縁部には底目地カバーなど種々の構成部材の取付けが必須となることがある。このような場合に、構造の複雑化や部品点数の増加を招くことなしに、前記延出縁部の内面全域にわたって擦り傷をつけ難い材料により保護されるように構成することが容易ではないという問題があった。
【先行技術文献】
【特許文献】
【０００６】
【特許文献１】特許第３４５９８４３号公報
【発明の概要】
【発明が解決しようとする課題】
【０００７】
本発明は、このような事情に着目してなされたもので、前述した従来の課題を、構造の複雑化や部品点数の増加を招くことなしに解消することを目的としている。
【課題を解決するための手段】
【０００８】
本発明は、以上のような課題を解消するために、次のような手段を講じたものである。
【０００９】
すなわち、本発明に係る扉装置は、上、下に配設されたレールに戸車を有した扉をスライド移動可能に支持させてなり、前記レールの少なくとも一方を、扉正面側から視認可能な竪壁に化粧面を形成してなるレールベースと、このレールベースに設けられ前記扉の戸車を転接支持するレール本体とを備えたものにするとともに、前記扉を、前記レールベースの化粧面の一部を隠すように延出する延出縁部を備えたものにしてなるものであって、前記レール本体に、前記レールベースの化粧面と前記扉の延出縁部との間に介挿され前記化粧面よりも擦り傷による影響を受けにくい保護片を一体的に設けたことを特徴とする。
【００１０】
ここで、戸車には、扉に作用する重力を受けるものに限らず、扉の倒れを防止するために設けられるものも含まれる。
【００１１】
また「化粧面よりも擦り傷による影響を受けにくい」という文言は、前記保護片の表面が前記化粧面よりも擦り傷がつきにくい特性を有したものであること、またはその表面に擦り傷がついても傷が目立ちにくいものであることを意味している。擦り傷がつきにくい特性とは、前記化粧面より硬度が高いこと、あるいは表面が滑りやすいことなど種々の特性が考えられる。一方、傷がついても目立ちにくいものとは、その表面に傷に類似した模様や加工が施されているものが考えられ、具体的には、その表面に印刷や機械加工等によりヘアライン模様を施したものを挙げることができる。
【００１２】
特に、前記保護片は塗装を施していない表面を有するものが好ましいが、傷のつきにくい塗膜で塗装を施したものであってもよい。
【００１３】
このような構成のものであれば、前記レールと前記扉の延出縁部との間に形成されるクリアランスを微少な値に設定しておいても、従来のような不具合が生じない。すなわち、扉をスライド移動させる際にその延出縁部の内面がレール側に変位しても、その延出縁部は、レールベースの化粧面ではなく保護片に擦れることになる。そのため、化粧面に擦り傷が残るという不具合を解消することができる。また、前記保護片の表面は、前述したように、前記化粧面に比べて擦り傷による影響を受けにくいものであるため、扉を開いた際に外観が損なわれるという従来の課題を解消することができる。しかも、前記保護片は、レール本体に一体的に設けられたものであるため、構造の複雑化や部品点数の増加を招くこともない。
【００１４】
前記レールベースの好適な態様としては、前記化粧面を形成するための塗装膜を有したカラー鋼板製のものが挙げられる。
【００１５】
また、前記レール本体は、前記保護片を含めステンレス鋼板を曲げ加工して作られた一体品、あるいは、前記保護片を含めアルミニューム合金を押し出し成形して作られた一体品であるのが好ましい。
【００１６】
具体的な実施態様としては、前記上のレールが天井に、前記下のレールが床にそれぞれ取り付けられたものを挙げることができる。
【００１７】
前記扉の延出縁部による隠蔽処理は上、下レールのいずれに行ってもよいが、外観を重視する場合には、少なくとも下レールに前記処理を行うことが好ましい。この場合には、前記下のレールのレール本体に、前記保護片が設けられることになる。
【００１８】
特に、扉同士の突き合わせ部分に形成される目地の外観を重視する場合に目地底を形成するための底目地カバーが設けられるならば、前記扉の延出縁部には前記底目地カバーの下端部が含まれることになる。
【００１９】
また、高い遮音性能が要求される場合には、前記延出縁部が、特に狭小な遮音用の微小クリアランスを介して前記レールの一部を覆い隠すものとなる。
【発明の効果】
【００２０】
本発明は、以上のような構成であるから、扉をスライド移動させる際にその延出縁部の内面が前記レールベースの化粧面に擦れて化粧面の塗装が剥がれて擦り傷が残るという従来の課題を、構造の複雑化や部品点数の増加を招くことなしに解消することができる。
【図面の簡単な説明】
【００２１】
【図１】本発明の一実施形態にかかる扉装置を示す全体正面図。
【図２】同概略平面図。
【図３】図１におけるＡ−Ａ線断面図。
【図４】同Ｂ−Ｂ線断面図。
【図５】同Ｃ−Ｃ線断面図。
【図６】同Ｄ−Ｄ線断面図。
【図７】図４に対応する要部拡大斜視図。
【図８】図３に対応する要部拡大斜視図。
【発明を実施するための形態】
【００２２】
以下、本発明の一実施形態を、図面を参照して説明する。
【００２３】
この扉装置１は、図１及び図２に示すように、人が行き交う通路などの表空間７１と、建物のインフラを担う各種設備などが収容された裏空間７２とを仕切るために設置されたもので、上、下に配設されたレール２、３に戸車４８、４９を有した扉４をスライド移動可能に支持させてなる。
【００２４】
すなわち、この扉装置１は、図１及び図２に示すように、天井９１に取り付けられた上のレール（以下、「天井レール２」と称する）と、床９２に取り付けられた下のレール（以下、「床レール３」と称する）との間に、前記扉（以下、「スライド点検扉４」と称する）を例えば３枚配設するとともに、これら３枚のスライド点検扉４の両側に開き戸点検扉５を配してなるもので、図２に実線で示すように、全てのスライド点検扉４、及び開き戸点検扉５を面一に閉じた状態で、前記表空間７１と前記裏空間７２とを仕切るための壁面パネルとして機能するようになっている。前記天井レール２及び前記床レール３は、前記スライド点検扉４の３枚分の幅寸法と、前記開き戸点検扉５の２枚分の幅寸法を合計した長さ寸法を有しており、後述するように前記開き戸点検扉５を開くことによって、前記スライド点検扉４を前記両レール２、３に沿ってスライド移動させることができるようになっている。
【００２５】
詳述すれば、前記天井レール２は、図１、図３及び図８に示すように、天井９１に取り付けられたレールベース２１と、このレールベース２１に取り付けられたレール本体２２とを具備してなる。前記レールベース２１は、下方に開口したチャンネル状のもので、外面にアクリル焼付塗装を施したカラー鋼板に曲げ加工を施すことにより作られており、ビスＢ１を用いて前記天井９１に取着されている。しかして、前記レールベース２１の竪壁２１１の前記表空間７１側には塗装の施された化粧面２１１ａが形成されている。
【００２６】
前記レール本体２２は、図３及び図８に示すように、前記レールベース２１の内部に収容されビスＢ２を用いて前記天井９１及び前記レールベース２１に固定されるチャンネル部２２１と、このチャンネル部２２１の一側から前記裏空間７２側に延設され中間をビスＢ３により前記レールベース２１に取着された平板部２２２と、この平板部２２２の延出端から前記スライド点検扉４の裏面に沿って垂下する垂下部２２３とを備えてなる。すなわち、前記チャンネル部２２１、平板部２２２及び垂下部２２３は、１枚の鋼板に曲げ加工を施すことにより作られた一体品である。前記垂下部２２３の内面には、前記スライド点検扉４の裏面に軽く接触するシール部を介して対面する遮音ゴムＲ１が設けられている。換言すれば、この遮音ゴムＲ１は、前記スライド点検扉４の裏面に沿って垂下する前記天井レール２（レール本体２２）の垂下部２２３内面に設けられている。
【００２７】
前記床レール３は、図１、図４及び図７に示すように、床９２に取り付けられたレールベース３１と、このレールベース３１に取り付けられたレール本体３２とを具備してなる。前記レールベース３１は、前記床９２に取着された床レール部材３１１と、この床レール部材３１１に被せた巾木レール部材３１２とを具備してなる。前記床レール部材３１１は、上方に開口したチャンネル状のもので、ビスＢ４を用いて前記床９２に固定されている。前記巾木レール部材３１２は、前記床レール部材３１１内に配置されたアジャスタ３１３により上下高さ調節可能に支持され、下方に開口したチャンネル状のもので、前記床レール部材３１１に上側から被せるようにして嵌合させている。具体的には、前記巾木レール部材３１２は、水平部３６１の一側縁に隆起部３６２を形成してなる天壁３６と、この天壁３６の両側縁から垂下させた竪壁３７とを具備してなる。前記巾木レール部材３１２は、外面にアクリル焼付塗装を施したカラー鋼板に曲げ加工を施すことにより作られており、ビスＢ５を用いて前記床レール部材３１１に取着されている。しかして、前記レールベース３１の竪壁３７の前記表空間７１側には塗装の施された化粧面３７１が形成されている。そして、前記天壁３６の水平部３６１には、前記レール本体３２が取り付けられている。
【００２８】
前記レール本体３２は、図４及び図７に示すように、前記スライド点検扉４の戸車４９を転接支持する突条部３２１と、この突条部３２１の両側縁に連続させて前記表空間７１側及び裏空間７２側に伸びる取付片部３２２とを具備してなる。そして、前記表空間７１側の取付片部３２２の延出端３２２ａから一体的に保護片３２３を垂下させている。すなわち、前記突条部３２１、取付片部３２２及び保護片３２３は、１枚のステンレス鋼板を曲げ加工して作られた一体品である。しかして、前記レールベース３１における天壁３６と表空間７１側の竪壁３７とを連続する角部外面と、前記レール本体３２の延出端３２２ａの内面とを重合させている。そのため、前記レール本体３２の取付を容易に行うことができるようになっている。前記レール本体３２は、前記取付片部３２２をビスＢ６により前記天壁３６に固定することにより前記レールベース３１に取着されており、その取着状態において前記保護片３２３は、前記レールベース３１の前記表空間７１に臨む化粧面３７１の上部を覆うように前記レールベース３１に添設されている。前記保護片３２３は、後述する遮音ゴムＲ４の上部と接触する高さ寸法に設定されている。具体的には、前記保護片３２３の下端が遮音ゴムＲ４の中間部の高さに位置づけられるようにしている。したがって、この保護片３２３が前記床レール３の竪壁３７の上縁に沿ってライン状に見えることとなり、外からの見栄えをよくすることができる。さらに、遮音の効果も確保することができるようになっている。また、前記保護片３２３の外面には、ヘアライン加工を施すことによりヘアライン模様３２３ａが形成されている。
【００２９】
前記スライド点検扉４は、図１乃至図８に示すように、コア材４１を内部に充填した扉枠４２と、この扉枠４２の前記表空間７１に臨む面に添設した表面パネル４３と、前記扉枠４２の裏空間７２に臨む面に添設した裏面パネル４４とを具備してなる。
【００３０】
前記扉枠４２は、図３乃至図７に示すように、戸先フレーム４２１と、戸尻フレーム４２２と、これら両フレーム４２１、４２２の上端間及び下端間をそれぞれ結合する上、下のフレーム４２３、４２４とを具備してなるもので、これらフレーム４２１、４２２、４２３、４２４により囲まれた空間内にロックウール等のコア材４１が充填されている。
【００３１】
前記戸先フレーム４２１は、図５乃至図７に示すように、前記スライド点検扉４の側面を閉塞する側面閉塞部４２１ａと、この側面閉塞部４２１ａの前記表空間７１側の縁に連続する表折り曲げ部４２１ｂと、前記側面閉塞部４２１ａの前記裏空間７２側の縁に連続する裏折り曲げ部４２１ｃとを具備してなる。
【００３２】
前記戸尻フレーム４２２は、図５に示すように、前記スライド点検扉４の側面を閉塞する側面閉塞部４２２ａと、この側面閉塞部４２２ａの前記表空間７１側の縁に連続する表折り曲げ部４２２ｂと、前記側面閉塞部４２２ａの前記裏空間７２側の縁に連続する裏折り曲げ部４２２ｃとを具備してなる。前記戸尻フレーム４２２における表折り曲げ部４２２ｂの内面には、隣接する前記スライド点検扉４の戸先フレーム４２１に軽く接触するシール部を介して対面する遮音ゴムＲ２が設けられている。
【００３３】
前記上フレーム４２３は、図３に示すように、前記スライド点検扉４の上面を閉塞する上面閉塞部４２３ａと、この上面閉塞部４２３ａの前記表空間７１側の縁に連続する表折り曲げ部４２３ｂと、前記上面閉塞部４２３ａの前記裏空間７２側の縁に連続する裏折り曲げ部４２３ｃとを具備してなるもので、前記表折り曲げ部４２３ｂの内面に前記天井レール２に微少なクリアランスＣ３を介して対面する遮音ゴムＲ３が設けられている。この前記上フレーム４２３の上面閉塞部４２３ａの上面には、前記天井レール２に遊嵌する転倒防止用の起立部４２３ｄが設けられている。この起立部４２３ｄは、薄板状のもので、この起立部４２３ｄと前記天井レール２の内面との距離は、遮音用の微少クリアランスＣ３、Ｃ４よりもはるかに大きな値に設定されている。
【００３４】
前記下フレーム４２４は、図４及び図７に示すように、前記スライド点検扉４の下面を閉塞する下面閉塞部４２４ａと、この下面閉塞部４２４ａの前記表空間７１側の縁に連続する表折り曲げ部４２４ｂと、前記下面閉塞部４２４ａの前記裏空間７２側の縁に連続する裏折り曲げ部４２４ｃとを具備してなる。前記表折り曲げ部４２４ｂの内面には、前記床レール３に微少なクリアランスＣ４を介して対面する遮音ゴムＲ４が設けられている。
【００３５】
前記表面パネル４３は、図２乃至図７に示すように、前記扉枠４２の表空間７１側全域を覆う平板状のパネル本体４３１と、このパネル本体４３１の戸先側の縁に連続する目地形成用の戸先折り曲げ部４３１ａと、前記パネル本体４３１の戸尻側の縁に連続する目地形成用の戸尻折り曲げ部４３１ｂと、前記パネル本体４３１の上縁に連続する上折り曲げ部４３１ｃと、前記パネル本体４３１の下縁に連続する下折り曲げ部４３１ｄとを具備してなり、前記パネル本体４３１の内面には、石膏ボード４３２が添設されている。前記戸先折り曲げ部４３１ａ及び戸尻折り曲げ部４３１ｂは、それぞれ前記パネル本体４３１に対して鋭角をなすように内面側に折り曲げられたもので、扉を閉じた状態で前記戸先折り曲げ部４３１ａの先端縁と、隣接する前記スライド点検扉４の戸尻折り曲げ部４３１ｂとの先端縁との間に目地４６が形成されるようになっている。そしてこの目地底を形成するための底目地カバー４５を戸先フレーム４２１に取り付けている。また、前記パネル本体４３１の上端部４３１ｅ及びこれに連続する前記上折り曲げ部４３１ｃは上フレーム４２３の表折り曲げ部４２３ｂの外側を、前記パネル本体４３１の下端部４３１ｆ及びこれに連続する下折り曲げ部４３１ｄは前記下フレーム４２４の表折り曲げ部４２４ｂの外側を、それぞれ包囲するように形成されている。
【００３６】
この底目地カバー４５は、図３乃至図７に示すように、前記目地４６を通して前記表空間７１側から視認可能な状態で取り付けられたもので、その上端４５１は前記扉枠４２の上面閉塞部４２３ａの内面に一致させ、下端４５２は前記表面パネル４３の下端に一致させてある。すなわち、前記パネル本体４３１の上端部４３１ｅと前記上フレーム４２３の表折り曲げ部４２３ｂとを主体として、前記スライド点検扉４における上側の延出縁部４７１が形成されている。一方、この底目地カバー４５の下端部４５２は前記床レール３の化粧面３７１の一部を隠すように延出しており、この下端部４５２と前記パネル本体４３１の下端部４３１ｆと前記下フレーム４２４の表折り曲げ部４２４ｂとを主体として、前記スライド点検扉４における下側の延出縁部４７２が形成されている。また、この延出縁部４７２の内面の下端部に、前記遮音ゴムＲ４が設けられている。
【００３７】
前記裏面パネル４４は、図２乃至図７に示すように、前記扉枠４２の裏空間７２側全域を覆う平板状のパネル本体４４１と、このパネル本体４４１の戸先側の縁に連続する戸先折り曲げ部４４１ａと、前記パネル本体４４１の戸尻側の縁に連続する戸尻折り曲げ部４４１ｂと、前記パネル本体４４１の上縁に連続する上折り曲げ部４４１ｃと、前記パネル本体４４１の下縁に連続する下折り曲げ部４４１ｄとを具備してなる。前記パネル本体４４１の内面には、石膏ボード４４２が添設されている。また、前記下折り曲げ部４４１ｄの下面には、前記床レール３に軽く接触するシール部を介して対面する遮音ゴムＲ５が設けられている。
【００３８】
以上のようにしてなるスライド点検扉４は、上下の戸車４８、４９を有している。
【００３９】
上の戸車は、図３及び図８に示すように、天井レール２に添接して前記スライド点検扉４の厚み方向の傾動を抑止するためのもの（以下、この上の戸車を「ガイドローラ４８」と呼ぶ。）で、前記スライド点検扉４の外面に取り付けられている。具体的には、前記ガイドローラ４８は、ローラベース４８１に支軸４８１ｃを介してローラ本体４８２を回転可能に設けたものである。前記ローラベース４８１は、前記裏面パネル４４の外面に添接される取付板部４８１ａと、この取付板部４８１ａから外方へ延設され上端に水平部４８１ｂとを具備してなるもので、前記ローラベース４８１の水平部４８１ｂに前記ローラ本体４８２を前記支軸４８１ｃを介して支持させている。この支軸４８１ｃの軸心は鉛直方向に配向させてあり、前記ローラ本体４８２は前記支軸４８１ｃ周りに水平回転するようになっている。前記ガイドローラ４８のローラ本体４８２は、スライド点検扉４の上面閉塞部４２３ａと略同じ高さに位置づけられるように設定している。さらに、前記上面閉塞部４２３ａの高さ位置において、前記ガイドローラ４８と前記裏面パネル４４との間には、前記垂下部２２３及び遮音ゴムＲ１が位置づけられる。したがって、スライド点検扉４の移動の安定性と、遮音性の向上を確保することができる。また、前記ローラ本体４８２の外周は、前記天井レール２の外面、すなわち前記天井レール２のレール本体２２における垂下部２２３の外面に転接させてある。すなわち、前記スライド点検扉４は、前記表空間７１側に倒れるように重心設定がなされており、それによって前記ガイドローラ４８が常に前記レール本体２２に転接するようになっている。
【００４０】
また、このガイドローラ４８は、前記シール部の当たり調整をすることができるようにするべく、前記微小クリアランスＣ３が変化する方向に位置変更可能に取着している。詳述すれば、前記ローラベース４８１の取付板部４８１ａは、止着具、例えばビスＢ７を用いて前記スライド点検扉４の外面に着脱可能に取り付けられており、前記取付板部４８１ａと前記外面との間に必要に応じて薄いライナーＬを介在させることによって、前記上フレーム４２３の表折り曲げ部４２３ｂに設けた遮音ゴムＲ３と前記天井レール２との間の微少クリアランスＣ３、並びに、前記裏面パネル４４の上端部と前記天井レール２に設けた遮音ゴムＲ１との間の遮音ゴムの接触圧を調整することができるようになっている。前記ライナーＬは、前記ビスＢ７をゆるめるだけで前記取付板部４８１ａと前記裏面パネル４４との間に挿脱することができるように、一辺に開放されたビスＢ７挿通用の切欠部Ｌ１を備えている。
【００４１】
一方、下の戸車４９は、図４及び図７に示すように、前記床レール３に添接して前記スライド点検扉４に作用する重力を受けるためのもので、前記スライド点検扉４の外面に取り付けられている。具体的には、前記戸車４９は、戸車ベース４９１に支軸４９１ｃを介して戸車本体４９２を回転可能に設けたものである。前記戸車ベース４９１は、前記下フレーム４２４の下面に添接される取付板部４９１ａと、この取付板部４９１ａの両側縁から起立させた軸受部４９１ｂとを具備してなるもので、前記戸車ベース４９１の軸受部４９１ｂに前記戸車本体４９２を水平な前記支軸４９１ｃを介して支持させている。また、前記戸車本体４９２の外周は、前記床レール３のレール本体３２上に転接させてある。
【００４２】
前記開き戸点検扉５は、図１、図２及び図４に示すように、建築壁９３に固定された壁レール６に蝶番５１１を介して接続された扉枠５１と、この扉枠５１の前記表空間７１側に添設した表面パネル５２と、前記扉枠５１の裏空間７２側に添設した裏面パネル５３とを具備するもので、前記スライド点検扉４と面一となる閉止位置から前記表空間７１側に開くことができるようになっている。これら扉枠５１、表面パネル５２、及び裏面パネル５３の構造は前記スライド点検扉４に準じるものであるため、説明を省略する。
【００４３】
次いで、この扉装置１の作動を説明する。
【００４４】
本実施形態にかかる扉装置１は、図２に実線で示すように、両前記開き戸点検扉５を３枚の前記スライド点検扉４と面一となる閉止位置に保持した状態では、前記表空間７１と裏空間７２とが完全に仕切られることとなる。すなわち、この状態では、前記天井レール２又は前記床レール３と扉４、５との間には、微少なクリアランスＣ３、Ｃ４しか存在しないので、前記裏空間７２に配設した各種設備から発生する騒音を前記表空間７１に漏洩するのを抑制することができる。
【００４５】
前記各種設備の点検等を行う際には、前記開き戸点検扉５の少なくとも一方を開成させればよい。すなわち、一方の前記開き戸点検扉５のみを開成した場合には、前記スライド点検扉４は一枚の前記開き戸点検扉５の扉幅分の移動が可能となり、所望の位置に扉幅一枚分の開口を形成することができる。また、両方の前記開き戸点検扉５を開成した場合には、前記スライド点検扉４は二枚の前記開き戸点検扉５の扉幅分の移動が可能となり、所望の位置に扉幅二枚分の開口を形成することができる。
【００４６】
このようにして、点検等を行う際には前記スライド点検扉４を前記天井レール２及び床レール３に沿ってスライド移動させることができるが、その際に、前記スライド点検扉４の延出縁部４７２が前記床レール３の化粧面３７１に擦り傷をつけてしまうという不具合が発生することがない。すなわち、前記延出縁部４７２の内面は遮音ゴムＲ４と底目地カバー４５とにより形成されているが、これらは優先的に前記床レール３のレール本体３２に設けられた前記保護片３２３に摺接することにより、前記化粧面３７１には触れることがない。したがって、前記化粧面３７１に擦り傷が残るのを防止することができる。前記保護片３２３の表面は、塗装を有しないものであり、しかもヘアライン模様３２３ａを有しているため、多少の擦り傷がついても目立つことがない。
【００４７】
この前記スライド点検扉４を前記天井レール２及び床レール３との間に組み付ける際には、前記ガイドローラ４８を取り外した状態で前記スライド点検扉４を両レール２、３間にけんどん動作により装着する。しかる後に、前記スライド点検扉４の裏空間７２側にビスＢ７を用いて取り付けると、前記遮音ゴムＲ３と前記天井レール２との間、及び、遮音ゴムＲ１と前記スライド点検扉４との間にそれぞれ遮音用のシール部が形成される。より具体的には、表側の遮音ゴムＲ３と天井レール２との間には微少クリアランスＣ３が形成され、裏側の遮音ゴムＲ１と前記スライド点検扉４との間は前記遮音ゴムＲ１が前記スライド点検扉４の裏面パネル４４に軽く接触することとなる。ここで、前記微少クリアランスＣ３を調整したい場合には、前記ガイドローラ４８のローラべース４８１と前記裏面パネル４４との間に前記ライナーＬを挿入することにより、前記シール部の当たり調整を行う。この場合、一定厚さのライナーＬを複数枚用意しておき、必要枚数を使用して当たり調整を行ってもよいし、あるいは、厚さの異なるライナーＬを複数種類用意しておき、それらを選択的に使用して当たり調整を行ってもよい。これらのライナーＬは、一辺に切欠部Ｌ１を備えた構造を成しているので前記ビスＢ７をゆるめるだけで、前記ローラベース４８１と前記裏面パネル４４との間に挿脱することができる。
【００４８】
このように当たり調整を行うことにより、前記遮音用の微少クリアランスＣ３が適正なものとなり、良好な遮音性能を発揮することになる。詳述すれば、この実施形態の場合、前記ライナーＬによる当たり調整によって前記表空間７１側の微少クリアランスは適正な値に設定され、一方、前記裏空間７２側の遮音ゴムＲ１の接触圧を適正な値に設定することが可能になる。
【００４９】
本実施形態に係る扉装置１は、以上のような構成であるから、スライド点検扉４をスライド移動させる際にその延出縁部４７２の内面が前記レールベース３１の化粧面３７１に擦れて化粧面３７１の塗装が剥がれて擦り傷が残るという従来の課題を、構造の複雑化や部品点数の増加を招くことなしに解消することができる。
【００５０】
特に、前記天井レール２が天井９１に、前記床レール３が床９２にそれぞれ取り付けられたものであるので、全てのスライド点検扉４、及び開き戸点検扉５を面一に閉じた状態で、前記表空間７１と前記裏空間７２とを仕切るための壁面パネルとして機能するようになっている。
【００５１】
また、前記床レール３のレール本体３２に前記スライド点検扉４の延出縁部４７２による隠蔽処理を行っているため、外観を好ましくすることできる。
【００５２】
さらに、前記目地４６には目地底を形成するための底目地カバー４５が設けられ、前記床レール３のレール本体３２の隠蔽処理を行うために前記スライド点検扉４の延出縁部４７２には前記底目地カバー４５の下端部４５２が含まれているため、これら延出縁部４７２は優先的に前記床レール３のレール本体３２に設けられた保護片３２３に摺接することにより、化粧面３７１には触れることがない。したがって、化粧面３７１に擦り傷が残るのを防止することができる。
【００５３】
また、前記延出縁部４７２が、特に狭小な遮音用の微小クリアランスＣ４を介して前記床レール３の一部を覆い隠すものとしているため、前記裏空間７２に配設した各種設備から発生する騒音を表空間７１に漏洩するのを抑制することができる。
【００５４】
なお、本発明は以上に述べた実施形態に限られない。
【００５５】
本実施形態に係る前記底目地カバーの上端部は、前記扉枠の上フレームの上端に一致させているが、これを表面パネルの上端に一致させるところまで延伸させて、この底目地カバーの上端部とパネル本体の上端部と上フレームの表折り曲げ部とを主体として上側の延出縁部を形成するようにしてもよい。この場合には、天井レールに設けられた化粧面に擦り傷がつかないように天井レールに保護片を設けるようにすればよい。
【００５６】
また、レール本体は、保護片を含めアルミニューム合金を押し出し成形して作られた一体品であってもよい。
【００５７】
さらに、スライド点検扉及び開き戸点検扉には、任意の場所に丸落としやロックハンドル等を用いた施錠機構を設けてもよい。
【００５８】
また、天井レールは、天井に直接取り付けられるものに限られず、天井との間に上板材を介して取り付けるものであってもよく、同様に、床レールは、床に直接取り付けられるものに限られず、床との間に下板材を介して取り付けるものであってもよい。
【００５９】
その他、本発明の趣旨を損ねない範囲で種々に変更してよい。
【符号の説明】
【００６０】
１…扉装置
２…上のレール（天井レール）
２１、３１…レールベース
２１１、３７…竪壁
２１１ａ、３７１…化粧面
２２、３２…レール本体
３…下のレール（床レール）
３２３…保護片
３２３ａ…ヘアライン模様
４…扉（スライド点検扉）
４５…底目地カバー
４７…延出縁部
４９…戸車
９１…天井
９２…床
【図１】
2010275805.tif 000003
【図２】
2010275805.tif 000004
【図３】
2010275805.tif 000005
【図４】
2010275805.tif 000006
【図５】
2010275805.tif 000007
【図６】
2010275805.tif 000008
【図７】
2010275805.tif 000009
【図８】
2010275805.tif 000010